(57)【特許請求の範囲】
【請求項１】
機台上に研削台を介して研削砥石を支持させた研削車台と調整砥石を支持させた調整車台を相対設したセンタレス研削盤において、
前記研削台に下端部を支軸により揺動自在に枢着した前記調整砥石側のガイドプレート取付けアームの上下方向の中間部に連結片の上端部を第一連結ピンで回動自在に連結する一方、
その連結片の下端部を、前記研削台に対して進退自在に構成した前記調整車台に対し前記支軸と同じ高さで第二連結ピンにより回動自在に連結し、
前記研削台に対して前記調整車台を進退させることにより、ガイド面が前記調整砥石の周側面と同面上に位置するように進退する工作物のガイドプレートを前記調整砥石側のガイドプレート取付けアームの上端部に設けた、センタレス研削盤。
【発明の詳細な説明】
【技術分野】
【０００１】
本発明は、研削砥石と調整砥石との間のブレード上に入口側の一対のガイドプレートの間を通して工作物を移動させ、前記砥石による研削後の該工作物を、出口側の一対のガイドプレートの間を通して排出するようにしたセンタレス研削盤に関するものである。
【背景技術】
【０００２】
センタレス研削盤のスルーフィード時の研削は、工作物が入口側のガイドプレートと出口側のガイドプレートの間に介在させた、研削と調整の両砥石間を通るため、ガイドプレートを前記ブレードを支持する研削台に取付けて、工作物に対する（工作物の径に対応するための）前後の調整（殊に、調整砥石側のものは工作物の加工精度にも影響を与えるための精密な調整を必要とする）は、研削台に取付けたねじを操作して行っている。所謂段取り変え操作としては、調整砥石を研削砥石に対して前進（近接）させ、或いは後退（離開）させて調整砥石の調整面である周側面の位置を決めた後、調整砥石側のガイドプレートのガイド面を該周側面と一致させる前記ねじ操作による調整を必要とするが（因みに、研削砥石側のガイドプレートは、研削時に工作物が暴れた場合などにそれを防ぐためのもので、調整砥石側のガイドプレートのように厳密に位置調整をする必要はない）、いずれにしても、研削砥石に対して調整砥石を進退させる一方、該進退に対応させて、調整砥石側のガイドプレートを進退させる必要があり、工作物に合わせた調整砥石の位置決め（調整）操作と、工作物に合わせたガイドプレートの位置決め（調整）操作は別途に行われている（例えば、特許文献１）。
【先行技術文献】
【特許文献】
【０００３】
【特許文献１】実開平２−１５８５７号広報
【発明の概要】
【発明が解決しようとする課題】
【０００４】
近年のセンタレス研削盤のスルーフィード時の研削加工生産では、加工ロットが小さくなり、異なった外径（ワークの）への段取り変え（調整操作）の頻度が増え、ガイドプレート側の位置決め操作と砥石（調整）側の位置決め操作を別途行っていると、生産性に影響を与え、改善が望まれる。
【０００５】
本発明は、工作物の外径寸法の変化に応じて必ず行われる調整砥石の位置変更操作（研削砥石と調整砥石間の離開距離の調整操作）と連動させて調整砥石側のガイドプレートの大まかな位置調整ができるようにして（工作物の外径寸法の変化に応じた）、センタレス研削盤のスルーフィード式研削の作業効率を高めたセンタレス研削盤を提供することを目的として創案したものである。
【課題を解決するための手段】
【０００６】
機台上に研削台を介して研削砥石を支持させた研削車台と調整砥石を支持させた調整車台を相対設したセンタレス研削盤において、前記研削台に下端部を支軸により揺動自在に枢着した前記調整砥石側のガイドプレート取付けアームの上下方向の中間部に連結片の上端部を第一連結ピンで回動自在に連結する一方、その連結片の下端部を、前記研削台に対して進退自在に構成した前記調整車台に対し前記支軸と同じ高さで第二連結ピンにより回動自在に連結し、前記研削台に対して前記調整車台を進退させることにより、ガイド面が前記調整砥石の周側面と同面上に位置するように進退する工作物のガイドプレートを前記調整砥石側のガイドプレート取付けアームの上端部に設けたことを基本的手段とする。
【発明の効果】
【０００８】
本発明によれば、工作物の外径寸法の変化に応じて必ず行われる調整砥石の位置変更操作（研削砥石と調整砥石間の離開距離の調整操作）と連動させて調整砥石側のガイドプレートの大まかな位置調整ができ、従って、センタレス研削盤のスルーフィード式研削の作業効率を高めたセンタレス研削盤を提供することができる。
【図面の簡単な説明】
【０００９】
【図１】センタレス研削盤の略示正面図。
【図２】図１の平面図。
【図３】図１の一部拡大図。
【図４】図３の平面図。
【図５】段取り変え時の図１の一部拡大図。
【発明を実施するための形態】
【００１０】
本発明に係るセンタレス研削盤は、機台１上に、研削台２を介して研削砥石３を支持させた研削車台４と、調整砥石５を支持させた調整車台６を相対設し、スルーフィード研削時に、前記研削台２に設けたブレード７上に、前記砥石３，５の一側の入口側に相対設したガイドプレート８Ａ，８Ｂを通して工作物（ワーク）Ｗを送り、研削砥石３による研削後の該工作物を、前記砥石３，５の他側の出口側に相対設したガイドプレート９Ａ，９Ｂを通じて排出するようにしたものである。
【００１１】
前記研削砥石３と調整砥石５は、工作物Ｗの態様（径）に応じて調整砥石５を設けた調整車台６を研削台２方向に進退させ、工作物Ｗとの位置調整を行うようにしてある。
【００１２】
なお、研削台２に対して研削車台４を進退するセンタレス研削盤にも本発明は適用できる。
【００１３】
工作物Ｗを先端面（頂面）７ａで支持する前記ブレード７を支持した前記研削台２の両側（前記砥石３，５の軸線に沿う方向の両側）の、砥石３，５より外れた位置には、それぞれ前記一対のガイドプレート８Ａ，８Ｂ．９Ａ，９Ｂを設けてある。
【００１４】
工作物Ｗをブレード７（の先端面７ａ）に送り込む入口側に当る部分に設けた、一対の入口側ガイドプレート８Ａ，８Ｂと、工作物Ｗの出口（排出）側に当る部分に設けた出口側ガイドプレート９Ａ，９Ｂのそれぞれの一方８Ａ，９Ａは研削砥石３に、他方８Ｂ，９Ｂは調整砥石５に対応し、各ガイドプレート８Ａ，９Ａ．８Ｂ，９Ｂは、そのガイド面８´Ａ，９´Ａ．８´Ｂ，９´Ｂを砥石３，５の周側面３ａ，５ａに一致させて（同一面上に位置させて）用いられる。
【００１５】
研削砥石３側のガイドプレート８Ａ，９Ａは、下端部を前記研削台２に支軸１０Ａ，１１Ａで揺動可能に取付けたガイドプレート取付けアーム１２Ａ，１３Ａに、取付け手段（取付けねじ）１４Ａ，１５Ａで取付けられ、取付けアーム１２Ａ，１３Ａに設けた調整手段１６Ａ，１７Ａを操作することにより前記支軸１０Ａ，１１Ａを中心に揺動する取付けアーム１２Ａ，１３Ａに伴われて変位して、そのガイド面８´Ａ，９´Ａを研削砥石３の周側面３ａと一致させる（同一面上に位置させる）ようにしてある。
【００１６】
調整砥石５側のガイドプレート８Ｂ，９Ｂは、下端部を前記研削台２に支軸１０Ｂ，１１Ｂで取付けて揺動可能とした（揺動自在に枢着した）、調整砥石側のガイドプレート取付けアーム１２Ｂ，１３Ｂの上端部に取付け手段１４Ｂ，１５Ｂで取付け、調整手段１６Ｂ，１６Ｂ´．１７Ｂ，１７Ｂ´を操作することによりそのガイド面８´Ｂ，９´Ｂが調整砥石５の周側面５ａと平行に（同面上に）なるようにしてある。
【００１７】
調整砥石５側のガイドプレート取付けアーム１２Ｂ，１３Ｂは、研削砥石３側のガイドプレート取付けアーム１２Ａ，１３Ａに相対するように配され（これらに取付けたガイドプレート８Ｂ，９Ｂ．８Ａ，９Ａも相対する関係にある）、研削砥石３側のガイドプレート８Ａ，９Ａと同様に、前記の通り、その下端部を支軸１０Ｂ，１１Ｂで研削台２に揺動自在に枢着したものである。
【００１８】
調整砥石５側のガイドプレート取付けアーム１２Ｂ，１３Ｂの、前記支軸１０Ｂ，１１Ｂと前記ガイドプレート１２Ｂ，１３Ｂとの間の中間部には接続部片１１２Ｂ，１１３Ｂを突設し、該接続部片１１２Ｂ，１１３Ｂに一端（上端）部を第一連結ピン１８，１８´で回動自在に連結した連結片（リンク）１９，１９´の他端（下端）部を、前記調整車台６に設けた接続部片１１６，１１６´に第二連結ピン２０，２０´で回動自在に接続してある。
【００１９】
接続部片１１６，１１６´は、前記調整車台６の上面の、前記研削台２側の先端部に立設し、調整車台６の進退操作手段２１に従ってレール２２に案内されて移動する該調整車台６の移動に従って前記研削台２に対して進退する。そして、前記連結片１９，１９´は、この接続部片１１６，１１６´に組付けた枢軸である前記第二連結ピン２０，２０´に押圧され、或いは牽引されて起伏し、前記第一連結ピン１８，１８´を介して調整砥石５側のガイドプレート取付けアーム１２Ｂ，１３Ｂを支軸１０Ｂ，１１Ｂを軸として揺動（回動）させる。
【００２０】
なお、進退操作手段２１は、調整車台６側に設けた雌ねじ材とこれに螺合した雄ねじ杆とで構成し、雄ねじ杆を回すことにより、雌ねじ材を固定した調整車台６は研削台２に対して進退する（進退手段としては油圧シリンダによるものやリニアモータによるものなども可能である）。
【００２１】
そして、工作物の変更に因る段取り変え時などにおいて、進退操作手段２１を操作して、研削台２に対して調整車台６を後退させると、該調整車台６に設けた調整砥石５は研削台２位置から後退することになる。また、調整車台６には連結片１９，１９´を第二連結ピン２０，２０´の下端部を接続してあるから、連結片１９，１９´は調整車台６によって牽引され、該連結片１９，１９´の上端部を第一連結ピン１８，１８´で接続したガイドプレート取付けアーム１２Ｂ，１３Ｂはそれに伴って支軸１０Ｂ，１１Ｂを中心に揺動し、該アーム１２Ｂ，１３Ｂに取付けたガイドプレート８Ｂ，９Ｂは研削台２位置より離れることになる。要するに、調整車台６の研削台２に対する進退動作によってガイドプレート８Ｂ，９Ｂも伴って研削台２に対して進退するのである。
【００２２】
なお、実施態様は、連結片１９，１９´の接続部片１１６，１１６´は、調整車台６に固定して設けてあるが、該接続部片１１６，１１６´に対応する接続部を備えた移動体を調整車台６に、前記研削台２に対して、調整車台６側のレールなどの案内材に案内されて、進退自在に、しかも、位置調整自在に設けることにより、調整砥石５の変形、摩耗に対応したガイドプレート８Ｂ，９Ｂの位置調整を行うことができる。
【符号の説明】
【００２３】
１              機台
２              研削台
３              研削砥石
４              研削車台
５              調整砥石
６              調整車台
８Ｂ            ガイドプレート
８´Ｂ          ガイド面
９Ｂ            ガイドプレート
９´Ｂ          ガイド面
１２Ｂ，１３Ｂ  調整砥石側のガイドプレート取付けアーム
１８，１８´    第一連結ピン
１９，１９´    連結片
２０，２０´    第二連結ピン
Ｗ              工作物
【図１】
0005695877.tif 000002
【図２】
0005695877.tif 000003
【図３】
0005695877.tif 000004
【図４】
0005695877.tif 000005
【図５】
0005695877.tif 000006